(57)【要約】【課題】操作のためのキーを新たに割り当てることなく、操作手順数を少なくしてユーザの操作負担を減らすことができ、ユーザにとって感覚的に理解しやすい操作によって表示画面のページ切り替えが可能となる携帯端末装置等を提供する。【解決手段】携帯端末装置１０は、中央制御部３０、開閉状態検出部３５、クロックタイマー３１、液晶表示制御部３７を備える。中央制御部３０は、開閉状態検出部３５から開閉状態の情報を受け取り、該情報をトリガーとして開状態と閉状態との時間間隔をクロックタイマー３１に測定させ、測定された時間の比較、判定を行って、前ページ表示や次ページ表示のページ切り替え表示制御を行い、液晶表示制御部３７に画面表示させる。【選択図】図８
2011139516.tif 000002
【特許請求の範囲】
【請求項１】
表示部を含む第１筺体及び操作部を含む第２筺体をヒンジ部により折り畳むように開閉する折り畳み手段と、前記折り畳み手段により前記第１筺体及び前記第２筺体を閉じてから開くまでの時間を計測する計時手段と、前記表示部への表示の制御を行う表示制御手段と、を有する携帯端末装置であって、
前記計時手段は、前記携帯端末装置を閉じた後に計測を開始し、前記携帯端末装置を開いたときに計測を終了して、前記携帯端末装置の閉じてから開くまでの時間を取得し、
前記表示制御手段は、前記計時手段により取得された時間が既定の時間未満の場合には次ページの表示を行い、該時間が既定の時間以上の場合には前ページ表示を行うことを特徴とする携帯端末装置。
【請求項２】
前記折り畳み手段は、前記携帯端末装置の開閉状態を前記表示制御手段へ通知する開閉状態通知手段を有し、
前記表示制御手段は、前記開閉状態通知手段による通知を前記計時手段へ送出し、
前記計時手段は、前記開閉状態通知手段による通知を前記表示制御手段から受け取ったときに、前記携帯端末装置の閉じてから開くまでの時間を計測することを特徴とする請求項１に記載の携帯端末装置。
【請求項３】
表示部を含む第１筺体及び操作部を含む第２筺体をヒンジ部により折り畳むように開閉する折り畳み手段を備える携帯端末装置の表示制御方法であって、
前記折り畳み手段により前記第１筺体及び前記第２筺体を閉じてから開くまでの時間を計測する計時工程と、前記表示部への表示の制御を行う表示制御工程と、を有し、
前記計時工程は、前記携帯端末装置を閉じた後に計測を開始し、前記携帯端末装置を開いたときに計測を終了して、前記携帯端末装置の閉じてから開くまでの時間を取得し、
前記表示制御工程は、前記計時工程により取得された時間が既定の時間未満の場合には次ページの表示を行い、該時間が既定の時間以上の場合には前ページ表示を行うことを特徴とする携帯端末装置の表示制御方法。
【請求項４】
請求項３に記載の携帯端末装置の表示制御方法を携帯端末装置に実行させるためのプログラム。
【請求項５】
請求項４に記載のプログラムを記録したコンピュータ読み取り可能な記録媒体。
【発明の詳細な説明】
【技術分野】
【０００１】
本発明は、携帯端末装置、その表示制御方法、プログラム、及びコンピュータ読み取り可能な記録媒体に関し、特に、いわゆる折り畳み構造を有する携帯電話機やＰＨＳ（Personal Handyphone System）等にて好適に用いられる表示画面の表示切換制御に関するものである。
【背景技術】
【０００２】
近年、携帯電話機においては、折り畳み機構が、表示部を大きくすることが可能であることや、折り畳むことにより携帯性を高め得ることといった理由から、マーケットのニーズに適合するデザインの１つとして多く採用されている。当該折り畳み機構を採用した携帯電話機では、上側筺体部と下側筺体部とがヒンジ機構により開閉される構造とされている。
【０００３】
そして、通常、上側筺体部の内側面には受話用スピーカや表示部（ディスプレイ）が配置され、下側筺体部の内側面には例えば送話用マイクや各種操作キーが配置されているため、該携帯電話機は、不使用時には上側筺体部と下側筺体部の各内側を密接させた折り畳み状態とし、使用時に上側筺体部と下側筺体部とを離間させた開状態にして使用される。
【０００４】
また、最近の携帯電話機には、電子メールや着信メロディ、ブラウザ等の多彩な機能が搭載されており、搭載されるアプリケーションは日々開発が重ねられている。そして、携帯電話機は、ユーザが各々の好みに合わせて機能を設定できるように構成されたものが主流となっている。
【０００５】
そして、機能設定に際しては、複数ページを表示できるプログラムを用いて、機能の内容を複数ページにわたって表示し、ユーザが手動でキー操作により行う。当該操作において複数ページの表示を切り替える場合、メニュー画面の中からページ切り替え命令を選択するか、ページ切り替え命令用に割り当てられたキーを押下する方式が一般的である。
【０００６】
上述したように、携帯電話機では近年、搭載される機能がますます増加する傾向にあり、この機能の増加に伴って機能選択あるいは設定に必要なキー操作も増えている。特に、小型の携帯電話機では、キー操作のために割り当てて設置できるキーが限られているため、メニューが多様化、多層化されていくにつれ、操作の手順数は必然的に増加してしまう。
【０００７】
ところで、例えば特許文献１では、筺体背面にポインティングデバイスを設けた折り畳み型携帯電話機でポインティングデバイスを操作するときに、開いた状態での操作と、折り畳んだ状態（表示部を含む筺体を１８０度回転させ閉じる）での操作とで、携帯電話機を持ち替えることなくユーザからみて常に同じ方向に表示画面及び画像の移動方向を保つことが可能な携帯電話機の入力装置が提案されている。
【０００８】
また、例えば特許文献２では、折り畳み構造の携帯電話機において、開閉状態を検出して開状態及び閉状態をタイマーで時間測定を行い、測定した時間に応じてアプリケーションの起動、終了を行う技術が開示されている。これにより、携帯電話のケースを開けた際には、表示部等のアプリケーションの起動を即座に行えるとともに、ケースを閉めた際には、アプリケーションの終了を確実に行い得るものとしている。
【先行技術文献】
【特許文献】
【０００９】
【特許文献１】特開２００４−３２０５６０号公報
【特許文献２】再表２００４／１１００３２号公報
【発明の概要】
【発明が解決しようとする課題】
【００１０】
前述した切り替え方式のうち、メニュー画面の中からページ切り替え命令を選択する方式は、ユーザの操作手順数が多くなってしまうため、操作が煩雑で面倒という負担をユーザに強いるとともに、誤操作の可能性を高めるという不都合が生じることとなる。
【００１１】
また、ページ切り替え命令用に割り当てられたキーを押下する方式は、携帯電話機の限られたキーのうち前ページ表示／次ページ表示に２つを割り当てる必要があり、少ないキー数で多様な操作を行わなければならないという点を考慮すると、効率的なキーの使用とはいえず、結果として操作手順数の増加を招くこととなる。
【００１２】
さらに、キーを押下することで携帯電話機を操作するよりも、例えばポインティングデバイス等を利用した操作を行う方が、ユーザにとって感覚的に理解でき操作しやすいということもあり、このような感覚的にわかりやすいインターフェースを提供することは、携帯電話機のユーザビリティ向上に資する。
【００１３】
そこで、本発明は、操作のためのキーを新たに割り当てることなく、操作手順数を少なくしてユーザの操作負担を減らすことができ、ユーザにとって感覚的に理解しやすい操作によって表示画面のページ切り替えが可能となる携帯端末装置等を提供することを目的とする。
【課題を解決するための手段】
【００１４】
かかる目的を達成するために、本発明は、表示部を含む第１筺体及び操作部を含む第２筺体をヒンジ部により折り畳むように開閉する折り畳み手段と、折り畳み手段により第１筺体及び第２筺体を閉じてから開くまでの時間を計測する計時手段と、表示部への表示の制御を行う表示制御手段と、を有する携帯端末装置であって、計時手段は、携帯端末装置を閉じた後に計測を開始し、携帯端末装置を開いたときに計測を終了して、携帯端末装置の閉じてから開くまでの時間を取得し、表示制御手段は、計時手段により取得された時間が既定の時間未満の場合には次ページの表示を行い、該時間が既定の時間以上の場合には前ページ表示を行うことを特徴とする。当該折り畳み手段による携帯端末の開閉動作を行うことで、表示画面の複数ページ切り替えを可能とし、ページをめくるという感覚的に理解しやすい操作をユーザに提供でき、操作キーへの機能割り当てを削減できる。そして、操作手順数を少なくしてユーザの操作負担を軽減することが可能となる。
【００１５】
当該携帯端末装置は、折り畳み手段、計時手段、及び表示制御手段を備え、表示制御手段は、折り畳み手段からの携帯端末の開閉状態の情報を受け取り、該情報をトリガーとして開状態と閉状態との時間間隔を計時手段に測定させ、測定された時間の比較、判定を行って、前ページ表示や次ページ表示のページ切り替え表示制御を行う。開状態と閉状態との時間間隔の測定は、閉状態となった時点から開状態となった時点までの時間を測定し、測定された時間の比較、判定は、測定時間が既定値以上か未満かにより判定を行うようにしてもよい。この場合、閉じていた間の時間により切り替えるページを判定するため、携帯端末装置を開いた直後に切り替え後のページが反映するようにページ切り替えの表示制御を行うことが可能となる。
【００１６】
また、本発明は、表示部を含む第１筺体及び操作部を含む第２筺体をヒンジ部により折り畳むように開閉する折り畳み手段を備える携帯端末装置の表示制御方法であって、折り畳み手段により第１筺体及び第２筺体を閉じてから開くまでの時間を計測する計時工程と、表示部への表示の制御を行う表示制御工程と、を有し、計時工程は、携帯端末装置を閉じた後に計測を開始し、携帯端末装置を開いたときに計測を終了して、携帯端末装置の閉じてから開くまでの時間を取得し、表示制御工程は、計時工程により取得された時間が既定の時間未満の場合には次ページの表示を行い、該時間が既定の時間以上の場合には前ページ表示を行うことを特徴とする携帯端末装置の表示制御方法であってもよい。
【００１７】
また、本発明は、上述した携帯端末装置の表示制御方法を携帯端末装置に実行させるためのプログラムであってもよい。
【００１８】
また、本発明は、上記のプログラムを記録したコンピュータ読み取り可能な記録媒体であってもよい。
【発明の効果】
【００１９】
本発明によれば、操作のためのキーを新たに割り当てることなく、操作手順数を少なくしてユーザの操作負担を減らすことができ、ユーザにとって感覚的に理解しやすい操作によって表示画面のページ切り替えが可能となる携帯端末装置等が実現される。
【図面の簡単な説明】
【００２０】
【図１】本発明の実施形態に係る携帯端末装置の外部構成を示した図である。
【図２】本発明の実施形態に係る携帯端末装置の内部構成を示した図である。
【図３】本発明の実施形態に係る携帯端末装置の内部構成を示した図である。
【図４】本発明の実施形態におけるページ切り替えの表示制御動作を説明するための図である。
【図５】本発明の実施形態におけるページ切り替えの表示制御動作の流れを示したフローチャートである。
【図６】本発明の実施形態におけるページ切り替えの表示制御動作の流れを示したフローチャートである。
【図７】本発明の実施形態におけるページ切り替えの表示制御動作の流れを示したフローチャートである。
【図８】本発明の実施形態に係る携帯端末装置の内部構成を示した図である。
【図９】本発明の実施形態におけるページ切り替えの表示制御動作を説明するための図である。
【図１０】本発明の実施形態におけるページ切り替えの表示制御動作の流れを示したフローチャートである。
【発明を実施するための形態】
【００２１】
以下、図面を参照しながら、本発明を実施するための最良の形態について説明する。第１の実施形態として、折り畳みの開閉動作と筺体の方位情報とに基づいてページ切り替えを行う携帯端末装置を挙げ、第２の実施形態として、折り畳みの開閉動作とタイマーによる計測結果とに基づいてページ切り替えを行う携帯端末装置を挙げる。
【００２２】
［実施形態１］
まず、本発明の実施形態の携帯端末装置の概略構成について述べる。図１は、本実施形態の携帯端末装置の外部構成を示した図である。本実施形態の携帯端末装置１０は、上部筐体１１と、下部筐体１２と、がヒンジ部１３により機械的に接続される、いわゆる折り畳み型携帯端末であり、液晶表示装置１４と、受話口１５と、送話口１６と、入力キー群１７と、アンテナ１８と、カメラ装置１９と、着信スピーカ２０と、バッテリ２１と、を有して構成される。
【００２３】
液晶表示装置１４は、上部筐体１１の表面（折り畳んだときに下部筺体１２の入力キー群１７と対向する面）に設けられた表示装置であり、待ち受け画面や現在の端末状態、メッセージ、スケジュール管理画面等を表示する。
【００２４】
受話口１５は、上部筐体１１の表面上側に設けられたスピーカであり、通話相手の声を出力する。送話口１６は、下部筐体１２の表面（折り畳んだときに上部筺体１１の液晶表示装置１４と対向する面）下側に設けられたマイクであり、通話時のユーザの声を受け付ける。
【００２５】
入力キー群１７は、下部筐体１２の表面に設けられた入力キーの集合体であり、携帯端末装置１０へのキー入力、コマンド入力を受け付ける。アンテナ１８は、無線通信網を介した無線通信を可能とするためのアンテナであり、上部筐体１１の上面（ヒンジ部１３とは逆側の端面）に設けられている。
【００２６】
カメラ装置１９は、上部筐体１１の裏面に設けられた撮影装置である。カメラ装置１９は、ＣＣＤ（Charge Coupled Device：電荷結合素子）やレンズ、フォトライト等からなり、静止画像や動画像の撮影を行う。
【００２７】
着信スピーカ２０は、上部筐体１１の裏面に設けられた音声出力装置であり、着信時の着信音や各種アラーム音を出力する。バッテリ２１は、下部筐体１２の裏面に設けられた充電可能な蓄電池であり、携帯端末装置１０の動力源である。
【００２８】
図２は、本実施形態の携帯端末装置の内部構成を示した図である。本実施形態の携帯端末装置１０は、中央制御部３０と、クロックタイマー３１と、無線通信部３２と、通話制御部３３と、キー入力検出部３４と、開閉状態検出部３５と、方位測定制御部３６と、液晶表示制御部３７と、カメラ装置制御部３８と、音声録音制御部３９と、着信スピーカ制御部４０と、バイブレータ制御部４１と、を有して構成される。
【００２９】
中央制御部３０は、携帯端末装置１０の各部の全体的な制御を行う。また、中央制御部３０は、複数ページが表示可能なプログラムを実行する際に、複数ページの表示切り替えを制御する機能を備える。
【００３０】
なお、中央制御部３０は、ＣＰＵ（Central Processing Unit）、ＲＯＭ（Read Only Memory）、ＲＡＭ（Random Access Memory）等から構成される。ＣＰＵは、ＲＯＭに記憶されているプログラムをＲＡＭに展開し、該展開されたプログラムに従って、データ処理や演算処理等の各種処理を実行する。ＲＯＭは、不揮発性メモリであり、ＣＰＵが各種演算や制御を行うための各種プログラム、データ、パラメータ等を格納する。ＲＡＭは、プログラムやデータの書き込みが自在に行うことのできるメモリであり、ＣＰＵが各種の処理を実行する上で必要なワーキングエリアを提供する。
【００３１】
クロックタイマー３１は、携帯端末装置１０内の時間を秒単位でカウントする。また、設定された時点からの時間を秒単位でカウントすることで現在の時刻（携帯端末装置１０内のシステム時間）を保持する。
【００３２】
無線通信部３２は、携帯端末装置１０の無線通信、データ通信を実行制御する。通話制御部３３は、送話口１６から入力されたユーザの声を電気信号に変換する変換処理や、送られてきた相手方の音声信号を変換し受話口１５から出力する出力処理を行う。キー入力検出部３４は、ユーザが入力キー群１７を介して入力したキー操作・コマンドを検出する。
【００３３】
開閉状態検出部３５は、携帯端末装置１０の開閉状態の変化、すなわち開状態となったことや閉状態となったことを検出する。また、開閉状態の検出結果を中央制御部３０へ通知する機能を備える。
【００３４】
方位測定制御部３６は、上部筺体１１に設けられ、上部筺体１１の上面が向いている方位の測定を行う。また、方位測定制御部３６は、開閉状態検出部３５の通知を中央制御部３０から受け取り、該通知をトリガーとして上部筺体１１の方位測定を行う。つまり、携帯端末装置１０の開閉状態の変化の際に、開状態となったときの方位や閉状態となったときの方位を測定する。なお、方位測定制御部３６は、下部筺体１２の下面が向く方位の測定を行うように下部筺体１２に設けてもよい。
【００３５】
表示装置制御部３７は、液晶表示装置１４に表示する画面やメッセージの表示制御を行う。また、表示装置制御部３７は、複数ページを切り替える際に、中央制御部３０のページ切り替え制御に従って画面表示を行う。そして、カメラ装置制御部３８は、カメラ装置１９による撮影処理の制御を行う。
【００３６】
音声録音制御部３９は、不在着信時の応答として行う音声録音（メモリ録音）の実行制御を行う。着信スピーカ制御部４０は、着信スピーカ２０による着信音や各種アラーム音の出力制御を行う。また、バイブレータ制御部４１は、偏心モータとおもりからなるバイブレータを制御し、着信等があった際に振動を発生させる。なお、これらの各制御部における着信の際の動作制御は、設定されている着信モードに応じて決定される。
【００３７】
図３は、本実施形態の携帯端末装置の内部構成を示した図で、特徴となるページ切り替えの表示制御動作に関わる構成を表したものである。図２において述べたとおり、携帯端末装置１０は、中央制御部３０と、開閉状態検出部３５と、方位測定制御部３６と、液晶表示制御部３７とを構成として有するが、これらの構成はページ切り替えの表示制御に必要な機能をそれぞれ備えている。
【００３８】
つまり、中央制御部３０は複数ページ表示切り替え機能１３０を有し、開閉状態検出部３５は開閉状態通知機能１３５を有し、方位測定制御部３６は方位情報取得機能１３６を有し、液晶表示制御部３７は表示機能１３７を有している。
【００３９】
開閉状態通知機能１３５は、携帯端末装置１０が閉状態から上部筺体を開いて開状態となったとき、あるいは開状態から上部筺体を折り畳んで閉状態となったときを検出し、開閉状態として中央制御部３０へ通知する機能である。方位情報取得機能１３６は、上部筺体の上面が向いている方位を方位情報として取得する機能で、中央制御部３０の制御に従って、開状態での方位を前回方位情報として取得したり、閉状態での方位を今回方位情報として取得したりする。
【００４０】
方位情報取得機能１３６は、例えば図４に示すように、開状態である携帯端末装置１０ａの上部筺体の上面の向いた方向ＷＥＳＴを前回方位情報として取得する。そして、端末を右側に閉じた場合には、閉状態となった携帯端末装置１０ｂの上部筺体上面が向いた方向ＥＡＳＴを今回方位情報として取得する。逆に、端末を左側に閉じた場合には、閉状態となった携帯端末装置１０ｃの上部筺体上面が向いた方向ＷＥＳＴ
を今回方位情報として取得する。
【００４１】
表示機能１３７は、中央制御部３０の制御に従って、ページ切り替えを表示画面に反映させ、前ページに切り替えたり、次ページに切り替えたりする。複数ページ表示切り替え機能１３０は、開閉状態検出部３５及び方位測定制御部３６から得られる情報を用いてページ切り替えの表示制御を行う。具体的には、開閉状態通知機能１３５による通知を受け、方位情報取得機能により前回方位情報と今回方位情報とを得て、２つの方位情報の比較からページ切り替えの決定をする。
【００４２】
次に、本発明の特徴となるページ切り替えの表示制御動作について説明するが、ここでは図５から図７にかけて３つのパートに分けている。図５から図７は、本実施形態におけるページ切り替えの表示制御動作の流れを示したフローチャートで、図５はプログラム起動後の方位情報取得について表したもの、図６は携帯端末装置を閉じた後の切り替えページ判断について表したもの、図７は携帯端末装置を開いた後のページ切り替えについて表したものである。
【００４３】
まず、複数ページが表示可能なプログラムを起動する（ステップＳ５１）。次に、中央制御部３０は開状態となっている現在の方位を方位測定制御部３６に測定させ、方位情報取得機能１３６により前回方位情報として取得する（ステップＳ５２）。そして、複数ページ表示切り替え機能１３０は、取得した前回方位情報を保持しておく（ステップＳ５３）。
【００４４】
その後、携帯端末装置を閉じると（ステップＳ６１）、開閉状態検出部３５は開閉状態通知機能１３５により端末が閉じたことを中央制御部３０へ通知する（ステップＳ６２）。続いて、中央制御部３０は、複数ページ表示切り替え機能１３０により、閉状態となった現在の方位を方位測定制御部３６に測定させ、方位情報取得機能１３６により今回方位情報として取得する（ステップＳ６３）。
【００４５】
次に、中央制御部３０は、今回方位情報と前回方位情報とを比較し（ステップＳ６４）、同一の場合（ステップＳ６４／ＹＥＳ）は前ページに表示を切り替える準備し（ステップＳ６５）、異なる場合（ステップＳ６４／ＮＯ）は次ページに表示を切り替える準備を行う（ステップＳ６６）。
【００４６】
そして、携帯端末装置を開くと（ステップＳ７１）、開閉状態検出部３５は開閉状態通知機能１３５により端末が開いたことを中央制御部３０へ通知する（ステップＳ７２）。続いて、中央制御部３０は、複数ページ表示切り替え機能１３０により、開状態となった現在の方位を方位測定制御部３６に測定させ、方位情報取得機能１３６により方位情報として取得する（ステップＳ７３）。
【００４７】
そして、中央制御部３０は、取得した方位情報を前回方位情報として登録し、以前保持されていた前回方位情報を更新する（ステップＳ７４）。他方、中央制御部３０は、複数ページ表示切り替え機能１３０により、切り替えの準備を行っていたページを液晶表示制御部３７に表示させ、液晶表示制御部３７は、表示機能１３７により準備したページを表示する（ステップＳ７５）。
【００４８】
［実施形態２］
本実施形態の携帯端末装置は、図１の外部構成及び図２の内部構成は実施携帯１と同一であるため、その説明は省略する。なお、本実施形態において、実施形態１の特徴であった方位測定制御部３６は、方位情報取得機能１３６を備えていてもよいし、備えなくてもよい。備える場合は、本実施形態のタイマー計測結果に基づくページ切り替えと、実施形態１の方位情報に基づくページ切り替えとのいずれかの切り替え方法を選択できるように構成してもよい。備えない場合には、本実施形態のタイマー計測結果に基づくページ切り替えのみとなる。
【００４９】
図８は、本実施形態の携帯端末装置の内部構成を示した図で、特徴となるページ切り替えの表示制御動作に関わる構成を表したものである。携帯端末装置１０は、中央制御部３０と、開閉状態検出部３５と、クロックタイマー３１と、液晶表示制御部３７とを構成として有するが、これらの構成はページ切り替えの表示制御に必要な機能をそれぞれ備えている。
【００５０】
つまり、中央制御部３０は複数ページ表示切り替え機能１３０を有し、開閉状態検出部３５は開閉状態通知機能１３５を有し、クロックタイマー３１はタイマー機能１３１を有し、液晶表示制御部３７は表示機能１３７を有している。
【００５１】
開閉状態通知機能１３５、及び表示機能１３７が有する機能は、実施形態１と同様である。タイマー機能１３１は、開閉状態検出部３５からの通知に基づいて閉状態から開状態になるまでの時間を計測する機能である。複数ページ表示切り替え機能１３０は、タイマー機能１３１により計測された時間を受け取って、既定値と比較したうえで既定値以上か既定値未満かの判定を行い、判定結果に基づいてページ切り替えを行う。
【００５２】
図９に示すように、開状態にある携帯端末装置１０ｄを一端閉状態の携帯端末装置１０ｅとしてから再び開状態とするまでの時間が、既定値のｎ秒未満か、あるいはｎ秒以上かを判定する。
【００５３】
次に、本実施形態におけるページ切り替えの表示制御動作について説明する。図１０は、本実施形態におけるページ切り替えの表示制御動作の流れを示したフローチャートである。
【００５４】
携帯端末装置が閉じられると（ステップＳ１０１）、開閉状態検出部３５は開閉状態通知機能１３５により端末が閉じたことを中央制御部３０へ通知する（ステップＳ１０２）。当該通知を受けた中央制御部３０はクロックタイマー３１に時間を計測させ、クロックタイマーはタイマー機能１３１によりタイマー計測を開始する（ステップＳ１０３）。その後、携帯端末装置が開かれると（ステップＳ１０４）、開閉状態検出部３５は開閉状態通知機能１３５により端末が開いたことを中央制御部３０へ通知し（ステップＳ１０５）、該通知を受けた中央制御部３０は、クロックタイマーにタイマー機能１３１によりタイマー計測を終了させる（ステップＳ１０６）。
【００５５】
続いて、中央制御部３０は、複数ページ表示切り替え機能１３０により、タイマー計測結果と既定値との比較を行う（ステップＳ１０７）。すなわち、タイマーがｎ秒以上の場合は（ステップＳ１０７／ＹＥＳ）、前ページに表示を切り替える準備をし（ステップＳ１０８）、ｎ秒未満の場合は（ステップＳ１０７／ＮＯ）、次ページに表示を切り替える準備を行う（ステップＳ１０９）。そして、複数ページ表示切り替え機能１３０により、液晶表示制御部３７に準備したページに切り替えて表示させる（ステップＳ１１０）。
【００５６】
上述した切り替え表示制御では、前ページ及び次ページの切り替えのみであったが、これに現在ページを加えて表示ページの維持という表示制御を行うように構成してもよい。この場合、例えば、タイマー計測された時間がｎ±１秒のレンジにあるときは現在ページ維持とし、ｎ−１秒未満とときは次ページとし、ｎ＋１秒以上のときは前ページとしてページ切り替えを行うようにすることができる。
【００５７】
先に述べてきた本発明の実施形態の機能を実現するソフトウェアのプログラムコードを記録したコンピュータ読み取り可能な記録媒体、すなわち記憶メディアを携帯端末装置に供給し、携帯端末装置のコンピュータ（ＣＰＵやＭＰＵ）が記憶メディアに格納されたプログラムコードを読み出し実行することによっても、本発明の目的は達成される。
【００５８】
この場合、記憶メディアから読み出されたプログラムコード自体が前述の実施形態の機能を実現することになり、そのプログラムコードを記憶したコンピュータ読み取り可能な記録媒体は本発明を構成する。
【００５９】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【００６０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６１】
上記の実施形態によれば、ユーザのユーザビリティ向上が図られる。その理由は、メニューを開いて機能を選択する操作に比べ、ユーザが行わなければならない操作手順数が少なくなるためである。また、携帯端末を閉じて開くという動作により複数ページの切り替えができるようにすることで、「本を開いたり閉じたり、ページをめくる」という感覚的にわかりやすいインターフェースが提供可能となるためである。
【００６２】
また、上記の実施形態によれば、操作キーへの機能割り当てを削減することが可能となる。その理由は、携帯端末の開閉動作を用いてページ切り替えを行うため、ページ切り替え機能を操作キーに割り当てる必要がなくなるためである。
【００６３】
上記の実施形態の一部又は全部は、以下の付記のようにも記載されうるが、以下には限定されない。
【００６４】
（付記１）表示部を含む第１筺体及び操作部を含む第２筺体をヒンジ部により折り畳むように開閉する折り畳み手段と、前記折り畳み手段により前記第１筺体及び前記第２筺体を閉じてから開くまでの時間を計測する計時手段と、前記表示部への表示の制御を行う表示制御手段と、を有する携帯端末装置であって、前記計時手段は、前記携帯端末装置を閉じた後に計測を開始し、前記携帯端末装置を開いたときに計測を終了して、前記携帯端末装置の閉じてから開くまでの時間を取得し、前記表示制御手段は、前記計時手段により取得された時間が既定の時間未満の場合には次ページの表示を行い、該時間が既定の時間以上の場合には前ページ表示を行うことを特徴とする携帯端末装置。
【００６５】
（付記２）前記折り畳み手段は、前記携帯端末装置の開閉状態を前記表示制御手段へ通知する開閉状態通知手段を有し、前記表示制御手段は、前記開閉状態通知手段による通知を前記計時手段へ送出し、前記計時手段は、前記開閉状態通知手段による通知を前記表示制御手段から受け取ったときに、前記携帯端末装置の閉じてから開くまでの時間を計測することを特徴とする付記１に記載の携帯端末装置。
【００６６】
（付記３）表示部を含む第１筺体及び操作部を含む第２筺体をヒンジ部により折り畳むように開閉する折り畳み手段を備える携帯端末装置の表示制御方法であって、前記折り畳み手段により前記第１筺体及び前記第２筺体を閉じてから開くまでの時間を計測する計時工程と、前記表示部への表示の制御を行う表示制御工程と、を有し、前記計時工程は、前記携帯端末装置を閉じた後に計測を開始し、前記携帯端末装置を開いたときに計測を終了して、前記携帯端末装置の閉じてから開くまでの時間を取得し、前記表示制御工程は、前記計時工程により取得された時間が既定の時間未満の場合には次ページの表示を行い、該時間が既定の時間以上の場合には前ページ表示を行うことを特徴とする携帯端末装置の表示制御方法。
【００６７】
（付記４）付記３に記載の携帯端末装置の表示制御方法を携帯端末装置に実行させるためのプログラム。
【００６８】
（付記５）付記４に記載のプログラムを記録したコンピュータ読み取り可能な記録媒体。
【符号の説明】
【００６９】
１０，１０ａ〜ｅ    携帯端末装置
１１    上部筺体
１２    下部筺体
１３    ヒンジ部
１４    液晶表示装置
１５    受話口
１６    送話口
１７    入力キー群
１８    アンテナ
１９    カメラ装置
２０    着信スピーカ
２１    バッテリ
３０    中央制御部
３１    クロックタイマー
３２    無線通信部
３３    通話制御部
３４    キー入力検出部
３５    開閉状態検出部
３６    方位測定制御部
３７    液晶表示制御部
３８    カメラ装置制御部
３９    音声録音制御部
４０    着信スピーカ制御部
４１    バイブレータ制御部
１３０    複数ページ表示切り替え機能
１３１    タイマー機能
１３５    開閉状態通知機能
１３６    方位情報取得機能
１３７    表示機能
【図１】
2011139516.tif 000003
【図２】
2011139516.tif 000004
【図３】
2011139516.tif 000005
【図４】
2011139516.tif 000006
【図５】
2011139516.tif 000007
【図６】
2011139516.tif 000008
【図７】
2011139516.tif 000009
【図８】
2011139516.tif 000010
【図９】
2011139516.tif 000011
【図１０】
2011139516.tif 000012